(57)【要約】【課題】  パソコンのキーボードやポインティングデバイスの操作に不慣れな人であっても携帯電話の操作が行える人ならば簡単に操作の可能な簡易キーボード兼ポインティング装置を提供する。【解決手段】  ファンクションスイッチ５を切り換えることで、入力ボタン操作部３の入力ボタン２により数字入力、アルファベット入力、ひらがな入力が可能である。このときの操作方法は、携帯電話のキー操作と同様である。右クリックは、簡易入力装置１０を右手に把持した場合、右クリック用スイッチ６を人指し指で一押しした後離すことで操作される。左クリックは、左クリック用スイッチ７を中指で一押しした後離すことで操作される。ドラッグ＆ドロップ操作は、右クリック用スイッチ６又は左クリック用スイッチ７を押しながら、必要とされる移動方向の移動キー４ｂ、４ｃ、４ｄ、４ｅを押し続けることで可能である。【選択図】        図１
2006236050.tif 000002
【特許請求の範囲】
【請求項１】
片手の手のひらに載せることの可能な函体と、
該函体の表面に配設され、数字、アルファベット、記号、及びひらがなのいずれか少なくとも一つを入力可能な複数のキーと、
カーソルの移動方向を操作する移動方向操作キーと、
前記函体の側部で、かつ前記手の指に当たる位置に配設されたクリック操作キーと、
前記各キーによる操作信号を被操作対象機器の受信装置に対して送信する信号送信手段とを備えたことを特徴とする簡易キーボード兼ポインティング装置。
【発明の詳細な説明】
【技術分野】
【０００１】
本発明は簡易キーボード兼ポインティング装置に係わり、特にパソコンのキーボードやポインティングデバイスの操作に不慣れな人であっても携帯電話の操作が行える人ならば簡単に操作の可能な簡易キーボード兼ポインティング装置に関する。
【背景技術】
【０００２】
従来、パソコンの操作にはキーボード及びマウス等を初めとするポインティングデバイスが用いられている。ところで、キーボードはキー配列を覚えなければならなかったり、マウス等については使い方を覚えなければならない等、年配の方やパソコン初心者にとっては操作方法を習得するのが困難であり、この操作の困難性ゆえにパソコンを使いこなすことが相当敷居の高いものとなっていた。
【０００３】
一方、経理等の特定業務においてデータ入力を容易にするためにテンキーボードが用いられている。このテンキーボードは見た目にも分かりやすく、かつ使い易いものであり、パソコン初心者等でも簡単に使いこなせるものである。
【０００４】
また、最近では、携帯電話の一般大衆への普及に伴い、子供からお年寄りまで多くの人が携帯電話を所有し、電子メールやインターネット等の機能についても比較的抵抗なく使用されている。
【０００５】
しかしながら、これらの機器は互いに独立した機能を有するものであり、特に年配の方にとって、一通り携帯電話に習熟したからといってパソコン操作が簡単に行えるようにはならない等の不便さがあった。このため、再びパソコンの操作方法を別個に一から学ぶ等の必要があった。周囲にパソコン操作を教えてくれる人のいない場合には、パソコン教室等に通って学ぶ等一定の投資や時間が必要でもあった。
【発明の開示】
【発明が解決しようとする課題】
【０００６】
本発明はこのような従来の課題に鑑みてなされたもので、パソコンのキーボードやポインティングデバイスの操作に不慣れな人であっても携帯電話の操作が行える人ならば簡単に操作の可能な簡易キーボード兼ポインティング装置を提供することを目的とする。
【課題を解決するための手段】
【０００７】
このため本発明（請求項１）は、  片手の手のひらに載せることの可能な函体と、該函体の表面に配設され、数字、アルファベット、記号、及びひらがなのいずれか少なくとも一つを入力可能な複数のキーと、カーソルの移動方向を操作する移動方向操作キーと、前記函体の側部で、かつ前記手の指に当たる位置に配設されたクリック操作キーと、前記各キーによる操作信号を被操作対象機器の受信装置に対して送信する信号送信手段とを備えて構成した。
【０００８】
複数のキーは、例えば携帯電話で広く用いられているキー配列（JISX6064-1986）等であることが望ましい。このキー配列を採用すれば、携帯電話に習熟した人にとっては、キーボードのキー配列を覚えなければならなかったりする手間を要さずに、直ちにパソコン等の情報処理機器の操作をすることができる。
【０００９】
また、カーソルの移動方向を操作する移動方向操作キーに、例えばジョグダイヤルやトラックポイント等のポインティングデバイスを採用すれば、携帯電話に習熟した人にとっては、マウス等の使い方を覚えなければならない等の煩わしさがなくなり、年配の方やパソコン初心者にとっても操作方法を習得するのが容易である。
【００１０】
また、携帯電話で電子メールやインターネット等の機能も使用しているユーザにとっては、同様の操作でキー入力やポインティングデバイス操作が行え、すぐにパソコンを使用しての電子メールやインターネット等が使用可能となる便利さがある。
【００１１】
このため、周囲にパソコン操作を教えてくれる人がいない場合であっても、パソコン教室等に通ってキー操作やマウス操作を学ぶ等の一定の投資や時間を省くことができる。
【発明の効果】
【００１２】
以上説明したように本発明（請求項１）によれば、数字、アルファベット、記号、及びひらがな等の入力可能な複数のキーを函体の表面に配設すると共に、函体の側部で、かつ手の指に当たる位置にクリック操作キーを配設したので、携帯電話と同様の使用方法で簡単に使用でき、年配の方やパソコン初心者にとってもキー入力やポインティングデバイスの操作方法を習得するのが容易である。
【発明を実施するための最良の形態】
【００１３】
以下、本発明の実施形態について説明する。本発明の実施形態の全体構成図を図１に示す。図１において、簡易入力装置１０は、片手の手のひら上に載せることが可能な函体１を有している。函体１の表面下段に携帯電話で一般的に使用されているキー配列（JISX6064-1986）である３列４段の合計１２個の入力ボタン２からなる入力ボタン操作部３が配設されている。
【００１４】
そして、それぞれの入力ボタン２には、数字、アルファベット、ひらがな、特殊記号等が割りつけられている。これらの数字、アルファベット、ひらがな、特殊記号等は図１に詳細を示すように、同一のボタンに対して複数の数字や文字が混在されている。例えば、数字の「２」には、アルファベットの「ＡＢＣ」、ひらがなの「か」が混在されている（以下、他の数字についても同様である）。
【００１５】
また、函体１の上段中央には、ジョグダイヤルからなるマウスカーソル操作部４が配設されている。このマウスカーソル操作部４は、中央に楕円状の確定ボタン４ａを有し、かつこの確定ボタン４ａの周囲には、それぞれカーソルを右斜め上方に移動可能な移動キー４ｂ、カーソルを右斜め下方に移動可能な移動キー４ｃ、カーソルを左斜め下方に移動可能な移動キー４ｄ、カーソルを左斜め上方に移動可能な移動キー４ｅとを備えている。
【００１６】
更に、このマウスカーソル操作部４の周部には、ファンクションスイッチ５が少なくとも４つ配設されている。このファンクションスイッチ５は、数字、アルファベット、ひらがな、特殊記号等の選択が可能なスイッチであったり、特定の関数を呼ぶものであったり、インターネットや電子メールの起動ボタン等である。
【００１７】
また、函体１の側面上部には右クリック用スイッチ６及び左クリック用スイッチ７とが突設されている。この右クリック用スイッチ６及び左クリック用スイッチ７は、函体１を右手の手のひら上に載せた状態で、右クリック用スイッチ６が右手人指し指に位置し、かつ左クリック用スイッチ７が右手中指に位置するようになっている。なお、函体１を左手の手のひら上に載せた状態では、右クリック用スイッチ６が左手中指し指に位置し、かつ左クリック用スイッチ７が左手人指し指に位置するようになっている。
【００１８】
そして、この函体１には無線による送信装置が内臓されており、一方、パソコン２０には無線による受信装置が内臓され、函体１側から送信された無線信号がパソコン２０側で受信可能なようになっている。受信された信号はＯＳ（オペレーティングシステム）により解析され、キー操作、ポイント操作等に使用されるようになっている。
【００１９】
但し、この送信装置、受信装置は、無線ではなく、赤外線、超音波、あるいは有線であってもよい。函体１には電池が内臓されており、各制御部を駆動したり、送信装置に電源供給可能なようになっている。なお、有線の場合、函体１に電池は必ずしも必要ではなく、パソコン２０側から有線ケーブルを介して函体１に電源供給されてもよい。
【００２０】
次に、本発明の実施形態の動作を説明する。
かかる構成によれば、ファンクションスイッチ５を切り換えることで、入力ボタン操作部３の入力ボタン２により数字入力、アルファベット入力、ひらがな入力が可能である。このときの操作方法は、携帯電話のキー操作と同様である。
【００２１】
文字入力後の漢字変換等は、確定ボタン４ａを押すことで可能である。右クリックは、簡易入力装置１０を右手に把持した場合、右クリック用スイッチ６を人指し指で一押しした後離すことで操作される。同様に、左クリックは、左クリック用スイッチ７を中指で一押しした後離すことで操作される。
【００２２】
ドラッグ＆ドロップ操作は、右クリック用スイッチ６又は左クリック用スイッチ７を押しながら、必要とされる移動方向の移動キー４ｂ、４ｃ、４ｄ、４ｅ
を押し続けることで可能である。移動キー４ｂ、４ｃ、４ｄ、４ｅを押しつける指を離したときにドロップ操作が行われる。
【００２３】
電子メールやインターネット等の機能への切り換えは、ファンクションスイッチ５を押すことで切り換えが可能である。
以上の操作は、無線信号としてパソコン２０側に伝えられる。パソコン２０側では、ＯＳが受信された信号に基づき解析を行い、キー操作、ポイント操作等として動作する。
なお、マウスカーソル操作部４は、ジョグダイヤルに代えて柱状のトラックポイント等によってもよい。
【００２４】
このことにより、キー配列を覚えなければならなかったり、マウス等のように使い方を覚えなければならない等の煩わしさがなく、年配の方やパソコン初心者にとっても操作方法を習得するのが容易である。また、携帯電話を所有し、電子メールやインターネット等の機能を使用しているユーザにとっては、携帯電話と同様の操作でキー入力やポインティングデバイス操作が行え、すぐにパソコンが使用可能となる便利さがある。
【００２５】
このため、周囲にパソコン操作を教えてくれる人がいない場合であっても、パソコン教室等に通ってキー操作やマウス操作を学ぶ等一定の投資や時間を省くことができる。
【図面の簡単な説明】
【００２６】
【図１】本発明の実施形態の全体構成図
【符号の説明】
【００２７】
１  函体
２  入力ボタン
３  入力ボタン操作部
４  マウスカーソル操作部
４ａ  確定ボタン
４ｂ、４ｃ、４ｄ、４ｅ  移動キー
５  ファンクションスイッチ
６  右クリック用スイッチ
７  左クリック用スイッチ
１０  簡易入力装置
２０  パソコン
【図１】
2006236050.tif 000003